(57)【特許請求の範囲】
【請求項１】
ホスト装置と、ホスト装置と通信可能な複数の公衆広告端末と、ホスト装置と通信可能な複数の店舗コンピュータを備えたネットワークシステムにおいて、携帯電話機の利用者を対象としてクーポンサービスを提供する方法であって、
ホスト装置は、公衆広告端末に広告主店舗識別情報付き広告データを配信し、
公衆広告端末は、ホスト装置から広告主店舗識別情報付き広告データを受信し、
公衆広告端末は、至近の携帯電話機とデータ通信を行うための電話機接続インタフェースと、利用者の操作入力を受け付けるためのユーザインタフェースを備え、
公衆広告端末は、広告データの表示中において所定の操作入力を受け付けた際、電話機接続インタフェースにより電話機ＩＤを取得するとともに、当該電話機ＩＤと、当該公衆広告端末の端末ＩＤと、表示中の広告データの広告主店舗識別情報と、日付とを対応付けしたクーポン発行通知をホスト装置に送信し、
ホスト装置は、公衆広告端末から受信したクーポン発行通知をクーポン発行記録簿に記録し、
店舗コンピュータは、ホスト装置に広告主店舗識別情報付き広告データを出稿している広告主の店舗に設置されており、広告主店舗識別情報を記憶し、
店舗コンピュータは、来店者が所持する携帯電話機の電話機ＩＤを取得し、当該電話機ＩＤを広告主店舗識別情報とともにホスト装置に送信し、
ホスト装置は、店舗コンピュータから電話機ＩＤと広告主店舗識別情報の組を受信した際、クーポン発行記録簿に当該電話機ＩＤと当該広告主店舗識別情報を含んだクーポン発行通知記録が存在するか否かを調べ、その結果によりクーポン発行済みであるか否かの情報を当該店舗コンピュータに返信するとともに、当該クーポン発行通知記録と日付とをクーポン利用実績簿に記録し、
店舗コンピュータは、ホスト装置からクーポン発行済みであるか否かの情報を受信した際に当該情報を表示出力する
方法。
【発明の詳細な説明】
【０００１】
【発明の属する技術分野】
この発明は、携帯電話機を利用したクーポンサービス提供方法に関する。具体的にはサービス対象者の携帯電話機の電話機ＩＤに基づいて、クーポンを発行したり、正規のクーポン利用者を認証したりするクーポンサービス提供方法に関する。また、この方法に適用される公衆広告端末・ホスト装置・店舗コンピュータにも関する。
【０００２】
【従来の技術】
一般的なクーポンサービスは、商店や飲食店などをサービス提供者として、店員などが街頭や店頭でクーポン券を不特定多数の人に配布しておく。そして、クーポンサービスの利用者が店舗で商品の購入や飲食をする際に事前あるいは事後にそのクーポン券を店員に提出して料金の割引など所定の特典を得る、という形態で提供される。
【０００３】
最近では、上記クーポン券の配布作業に掛かる手間やコストを省略するため、あるいは、より多くの利用者（来店者）を獲得するため、クーポン券をＷｅｂページとしてインターネット上に公開する方法を採用しているサービス提供者も多い。そして、クーポンサービスを利用しようとする人は、ブラウザにて表示させたクーポンのページを印刷出力し、これをクーポン券として店舗に持参したり、ブラウザを搭載した携帯電話機のメモリにそのＷｅｂページのデータを保存しておき、店舗でその保存データを携帯電話機のディスプレイに表示してクーポン券を提示したりする。
【０００４】
【発明が解決しようとする課題】
上述したように、クーポンサービスの提供形態には、クーポン券を実際に配布する方法と、クーポン券をデータとして配布する方法とがある。クーポン券を実際に配布する方法は、一般に、クーポンサービスを提供している店舗とクーポン券の配布場所とが近い場合が多く、利用者が希望すれば直ちにクーポンサービスを享受することができる。しかし、クーポン券はその紙面が小さく、店舗やサービス内容について必要最小限の情報しか記載することができない。そのため、一見の客にとってはサービスの利用に不安を感じ、実際にはサービス利用者は、常連客である場合が多い。したがって、新規顧客を獲得することはあまり期待できない。
【０００５】
その点、クーポン券をデータとして配布する方法は、Ｗｅｂページを利用するため、店舗の紹介やサービス内容を十分に説明することができる。そのため、初めて店舗を訪れる場合であっても大きな不安はない。しかしこの方法では、サービスの利用希望者が必ずしもサービスの提供店舗の近隣に居住しているとは限らない。したがって、クーポン券を閲覧した人に対して実際にサービスを利用する人の割合は少なくなる。また、Ｗｅｂページを閲覧できない人には全く情報が入ってこない。すなわち、Ｗｅｂページを閲覧することができない人が店舗の近隣にいて、しかも潜在的なサービス利用希望者であったとしても、サービスが利用されないことになる。
【０００６】
そこで本願発明者らは、街頭に設置されて近隣の店舗などの宣伝広告とともにその位置や連絡先などをディスプレイに表示する公衆広告端末に着目した。この端末は、自身が設置されている地域の店舗などを広告映像によって紹介する情報処理装置であり、各店舗の広告を表現した画像データをデータベースに蓄積しておき、利用者の目的とする店舗をジャンルや名称などを手がかりにして検索して提示する機能を備えている。したがって、この公衆広告端末の利用者にクーポン券を配布できれば、その利用者は必ず店舗に近い場所にいるし、表示した広告によって店舗についての十分な説明もできる。しかも、その利用者は、実際に行くつもりの店舗についての情報をこの端末を使って調査するのであるから、クーポンサービスが提供されていれば、そのサービスを利用するために来店する確率がさらに高くなる。
【０００７】
しかし、クーポン券の配布について考察したとき、種々の問題が潜在していることに気が付く。確かに、クーポン券自体は、広告端末にプリンタなどを内蔵させれば、クーポン券を印刷出力させて配布することができる。問題は、公衆広告端末を維持するために多額のメンテナンス費用が掛かるという点にある。例えば、クーポン券を印刷するためには、用紙やインク・トナーなどの消耗品を補充する必要があるし、プリンタなどの可動機構が組み込まれている以上、定期的な点検や修理も必要となる。クーポン券を印刷するだけで実際に使用しない人がいるということも考慮すると、メンテナンス費用は膨大なものとなる。
【０００８】
したがって本発明は、公衆広告端末をクーポンサービスの窓口として、ランニングコストを掛けず、さらに、クーポン券を確実に利用させてより多くの来店者を獲得することができるクーポンサービス提供方法を開示することを目的としている。
【０００９】
【課題を解決するための手段】
上記目的を達成するための第１の発明は、つぎの事項（１）〜（７）によって特定される。
（１）携帯電話機の利用者を対象としたクーポンサービスの提供方法である。
（２）本クーポンサービスの利用窓口として多数の公衆広告端末が各地に設置されている。前記公衆広告端末は、適宜な情報通信網を介して所定のホスト装置と通信する情報通信手段と、至近の携帯電話機とデータ通信を行うための電話機接続インタフェースと、前記ホスト装置から送付される所定形式の広告データを適宜に表示出力する広告表示手段と、利用者による操作入力を受け付けるためのユーザインタフェースとを備える。
（３）前記ホスト装置が管理するデータベースには、多数の広告主から預かった多数の広告データと、各広告データの出稿計画に関連した情報と、各広告主の店舗の所在や名称などを示す広告主属性情報と、前記各公衆広告端末の所在などを示す端末属性情報とが含まれている。前記ホスト装置は、各広告データの出稿計画関連情報に基づいてそれを出稿する前記公衆広告端末を選出して、各広告データを適宜な前記公衆広告端末に配信する。
（４）前記公衆広告端末は、前記広告データの表示中に所定の利用者入力を受け付けると、前記電話機接続インタフェースに接続されている携帯電話機の電話機ＩＤを取得し、この電話機ＩＤに前記表示中の広告データを関連づけしたクーポン発行通知を前記ホスト装置に送付する。
（５）前記ホスト装置は、前記公衆広告端末から送付された前記クーポン発行通知済みの電話機ＩＤと、当該通知中で関連付けされている広告データに対応する広告主属性情報とを対にしてクーポン発行記録簿に記載する。
（６）各広告主店舗には、適宜な情報通信網を介して前記ホスト装置と通信する手段と、電話機ＩＤを適宜に入力・取得するための電話機ＩＤ取得手段とを備えた店舗コンピュータを設置しておく。
（７）前記店舗コンピュータは、取得した来店者の携帯電話機の電話機ＩＤを前記ホスト装置に送付する。これを受けて前記ホスト装置は、当該電話機ＩＤを前記クーポン発行記録簿に照会して、該当の広告主属性情報に当該電話機ＩＤが対応付けされていることを認知すると、その旨を電話機ＩＤ確認通知として前記店舗コンピュータに返送する。これを受けて前記店舗コンピュータは、前記来店者が本サービスの利用者である旨のクーポン利用許可情報を適宜に出力する。
【００１０】
第２の発明は、第１の発明において、前記発明特定事項（７）をつぎの（21）に置換したことを特徴としている。
（21）前記ホスト装置は、前記クーポン発行記録簿に記載されている電話機ＩＤを該当する店舗コンピュータに適時に送付する。これを受けて前記店舗コンピュータは、来店者の携帯電話機から取得した電話機ＩＤを当該送付された電話機ＩＤと照合し、双方のＩＤが一致したときは前記来店者が本サービスの利用者である旨の情報を適宜に出力する。
【００１１】
第３の発明は、第１または第２の発明に記載のクーポンサービス提供方法に適用される前記公衆広告端末であって、前記情報通信手段と、前記電話機接続インタフェースと、前記広告表示手段と、前記ユーザインタフェースと、前記クーポン発行通知を作成する手段と、当該クーポン発行通知を前記ホスト装置に送付する手段とを備えたことを特徴としている。
【００１２】
第４の発明は、第１の発明に記載のクーポンサービス提供方法に適用される前記ホスト装置であって、適宜な情報通信網を介して前記情報広告端末や前記店舗コンピュータと通信する手段と、前記データベースの管理手段と、前記クーポン発行記録簿の作成手段と、前記クーポン発行記録簿に基づいて適宜な店舗コンピュータに該当する電話機ＩＤを送付する手段とを備えている。
【００１３】
第５の発明は、第２の発明に記載のクーポンサービス提供方法に適用される前記ホスト装置であって、適宜な情報通信網を介して前記公衆広告端末や前記店舗コンピュータと通信する手段と、前記データベースの管理手段と、前記クーポン発行記録簿の作成手段と、前記クーポン発行記録簿に基づいて適宜な店舗コンピュータに該当する電話機ＩＤを送付する手段とを備えている。
【００１４】
第６の発明は、第４または第５の発明に記載の前記ホスト装置であって、前記電話機ＩＤ確認通知の送付起源となった適宜な日時と送付先の広告主属性情報とを対応付けしてクーポン利用実績簿に記載する手段を備えている。
【００１５】
第７の発明は、第４〜第６の発明のいずれかに記載のホスト装置であって、前記端末属性情報に記載されている前記公衆広告端末の所在と、前記広告主属性情報に記載されている広告主店舗の所在とに基づいて各広告データの配信先を決定する手段と、当該決定手段により決定された各広告データの配信先を該当する前記出稿計画関連情報に記述する手段とを備えている。
【００１６】
第８の発明は、第４〜第７の発明のいずれかに記載の前記ホスト装置であって、前記携帯電話機が加入する移動体通信網の課金システムと適宜な情報通信網を介してデータ通信するための手段と、前記公衆広告端末から送付された前記クーポン発行通知済みの電話機ＩＤと当該通知中で関連づけされている前記広告データに該当する広告主属性情報に設定されているクーポン利用料金とを対応付けしてクーポン利用料金徴収代行依頼書に作成する手段と、当該依頼書を前記課金システムに適時に送付する手段とを備えている。
【００１７】
第９の発明は、第１の発明に記載のクーポンサービス提供方法に適用される前記店舗コンピュータであって、前記ホスト装置と通信する手段と前記電話機ＩＤ取得手段と、このＩＤ取得手段により取得した電話機ＩＤを前記ホスト装置に送信する手段と、前記ホスト装置からの前記電話機ＩＤ確認通知を受け付けて前記クーポン利用許可情報を適宜に出力する手段とを備えている。
【００１８】
第１０の発明は、第２の発明に記載のクーポンサービス提供方法に適用される前記店舗コンピュータであって、前記ホスト装置と通信する手段と前記電話機ＩＤ取得手段と、当該取得手段が取得した電話機ＩＤと、前記ホスト装置から送付された電話機ＩＤとを照合するとともに、双方のＩＤが一致したことを認知すると前記クーポン利用許可情報を適宜に出力する手段とを備えている。
【００１９】
【発明の実施の形態】
＝＝＝実施形態＝＝＝
本発明のクーポンサービス提供方法によれば、クーポンサービスの窓口となる公衆広告端末が各地に配置されていることが前提となる。しかし、多数の公衆広告端末を新規に設置すれば、端末自体に掛かるコストに加え、多額の設置コスト（場所代、据付費用など）が掛かることになる。また、街頭などに設置する場合には、日常的な保守・管理がしにくく、故障などに迅速に対応できない。そこで、本発明の好適な実施例では、本願出願人らが運営・管理する既設の通信カラオケシステムのインフラを活用して、カラオケ店にカラオケ演奏端末とともに公衆広告端末を設置することとした。
【００２０】
＝＝＝通信カラオケシステム＝＝＝
図１は、本実施例に適用される通信カラオケシステムの概略構成図を示している。カラオケホスト装置７は、大規模なデータベースを付帯したコンピュータシステムであり、多数のカラオケ楽曲についてＭＩＤＩ形式に準拠したカラオケデータを蓄積・管理している。そして、適時に公衆電話回線網３０を介して適宜なカラオケ演奏端末２と接続し、新譜のカラオケ楽曲についてのカラオケデータを配信する。この例では、カラオケ店に複数台のカラオケ演奏端末２が設置されており、各カラオケ演奏端末２は、宅内回線網（ＰＢＸ）３１を介してカラオケホスト装置７に接続する。
【００２１】
カラオケ演奏端末２は、コンピュータとシンセサイザとを主体として構成され、配信されたカラオケデータを内蔵するハードディスク装置などに格納する。そして、利用者入力によってリクエスト曲の楽曲番号を受け付け、該当のカラオケデータをシンセサイザに転送する。シンセサイザは、そのカラオケデータを処理してカラオケ伴奏音楽の音響信号を生成する。
【００２２】
また各客室２０には、カラオケ演奏端末２とＲＳ２３２Ｃなどの適宜なインタフェース５を介して接続されたパーソナルコンピュータ（客室ＰＣ）１が設置されている。この客室ＰＣ１は電子目次本として機能し、カラオケ楽曲の曲目・アーティスト名などを楽曲番号に対応付けして管理したデータベースを検索し、利用者が入力した歌手名や曲名の頭文字などを手がかりにして該当するカラオケ楽曲の楽曲番号をＬＡＮ６を介して同じ客室にあるカラオケ演奏端末２に転送する処理を実行するためのプログラムが実装されている。
【００２３】
管理ＰＣ３は、カラオケ店１００の受け付け等に設置される業務用のＰＣであり、店内のカラオケ演奏端末２の稼働状況を集信したり、会計処理を行ったりする。またこの例では、ＬＡＮ６上のルータ４が専用線を介してインターネット４０に接続されており、各客室ＰＣ１にはブラウザが実装されている。そして、管理ＰＣ３はプロキシサーバーとしても機能し、各客室ＰＣ１のブラウザは、管理ＰＣ（プロキシサーバー）３を経由してインターネット４０上にあるＷｅｂページを取り寄せ、付帯するディスプレイに表示出力する。
【００２４】
＝＝＝ネットワーク構成＝＝＝
図２は本発明の実施例におけるクーポンサービス提供方法が適用される情報通信ネットワークの概略構成図を示している。この実施例では、インターネットを主体としたネットワークが示されている。インターネット４０には、パーソナルコンピュータ（ＰＣ）など不特定多数の利用者が操作するコンピュータやこれら利用者のコンピュータに種々のサービスを提供するサーバーコンピュータなど、さまざまな情報処理装置が接続されている。本発明の要件であるホスト装置９と店舗コンピュータ１０は、これら情報処理装置の一つとしてインターネット４０に接続されている。
【００２５】
公衆広告端末１は、通信カラオケシステムにおける客室ＰＣ１のハードウエアを流用している。客室ＰＣ１にはブラウザと連動して公衆広告端末として機能するプログラム（広告端末プログラム）が実装されている。そして、携帯電話機８と接続してデータ通信を行うための電話機接続インタフェース１３を備えている。
【００２６】
本発明は、この携帯電話機８の使用者をサービスの対象者（以下、利用者）として、ホスト装置９・公衆広告端末１・店舗コンピュータ１０がインターネット４０を介して適宜にデータ通信を行いながらクーポンサービスを提供する。
【００２７】
なお本実施例におけるクーポンサービスは、概ね以下の手順（ａ）〜（ｊ）によって提供される。
(a) 利用者が公衆広告端末１のブラウザにある広告主が出稿した広告データを表示させる。
(b) 利用者が広告データの表示中に公衆広告端末１を操作して、この広告主が経営・管理する店舗（広告主店舗）にて利用可能なクーポンの発行を指示する。
(c) 公衆広告端末１は、(b)の指示に応動して、利用者の携帯電話機８の電話番号などを電話機ＩＤとして電話機接続インタフェース１３を介して取得し、そのＩＤとどの店舗のクーポンを発行するのかを記述した情報（クーポン発行通知）をホスト装置９に送付する。
(d) ホスト装置９は、(c)の通知に基づいて、電話機ＩＤと利用者がクーポンの発行を指示した店舗とを対応付けし、クーポン発行記録簿として前記対応関係をこの記録簿に記載する。
(e) クーポンが利用できる店舗に来店者がある。
(f) 来店者の携帯電話機８の電話機ＩＤをその店舗に設置されている店舗コンピュータ１０に入力する。
(g) 店舗コンピュータ１０が来店者の携帯電話機８の電話機ＩＤをホスト装置９に通知する。
(h) ホスト装置９が店舗コンピュータ１０から通知された電話機ＩＤをクーポン発行記録簿に照会し、この店舗コンピュータ１０の設置店舗と同じ店舗に対応付けされている電話機ＩＤと通知された電話機ＩＤとが一致すると、その旨を店舗コンピュータ１０に返送する。
(i) 店舗コンピュータ１０は、(h)の返答を受け付けて、来店者が当該店舗のクーポンサービスを利用可能である旨の情報を表示出力する。
(j) 店舗の店員が、(i)の表示内容を見て、クーポンサービスを来店者（利用者）に提供する。
【００２８】
以上が本実施例におけるクーポンサービスの提供形態の概略である。以下、携帯電話機８・公衆広告端末１・ホスト装置９・店舗コンピュータ１０の構成・動作・通信手順などを示し、本実施例におけるクーポンサービス提供方法を具体的に説明する。
【００２９】
＝＝＝携帯電話機・公衆広告端末＝＝＝
本実施例における公衆広告端末１のハードウエアは、上述したように客室ＰＣをほぼそのまま流用している。しかし、至近の携帯電話機８とデータ通信を行うための電話機接続インタフェース１３を備えている。電話機接続インターフェース１３としては、ＲＳ２３２ＣやＵＳＢなど適宜な規格が採用できる。もちろん、最近の携帯電話機には、ＢｌｕｅｔｏｏｔｈやＩｒＤＡなどの無線通信インタフェースを介して他の情報処理装置とデータ通信を行う機種もあり、公衆広告端末１にこれらの無線通信インタフェースを備えさせてもよい。なおこの例では、複数の携帯電話機８の機種に対応して複数のケーブルが用意され、それぞれのケーブルは、各機種のデータ通信用インタフェースに適合するコネクタを備えている。
【００３０】
公衆広告端末１の主要な機能は、カラオケ店１００の周辺にある各種店舗（商店・飲食店・ホテル・遊技場など）から、利用者が目的としている店舗についての広告を表示出力することにある。この実施例では、広告として表示出力されるデータ（広告データ）は、ＨＴＭＬ形式のＷｅｂページである。広告データは、ホスト装置９からカラオケ店１００の管理ＰＣ３に配信されて、管理ＰＣ３が内蔵するハードディスク装置に格納される。また、広告データとともに、広告主店舗の種類（商店・飲食店・ホテル・遊技場など）・名称・所在地・連絡先などを示した広告主属性情報や、広告データを表示出力する期間や時間帯などを示した出稿関連情報も広告データとともに配信されて管理ＰＣ３のハードディスク装置に格納される。
【００３１】
広告端末プログラムは、Ｗｅｂページの格納場所と各広告主属性情報とに基づいて、利用者が入力した店舗についての断片的な情報（広告主店舗についての種類・名称の一部・電話番号・住所など）から、目的とする広告主店舗の候補を抽出していき、最終的に利用者が特定した広告主店舗の広告データを管理ＰＣ３のハードディスク装置より取り出して表示出力する。また、出稿計画関連情報に基づいて、出稿すべき時間帯にない広告データや期日の過ぎた広告データについては検索対象から除外したりする処理も行う。もちろん、期日の過ぎた広告データについては、管理ＰＣ３側で削除してもよい。
【００３２】
＝＝＝ホスト装置＝＝＝
ホスト装置９は多数の広告主から預かったＷｅｂページ形式の広告データを付帯するデータベースに格納している。上述したように、広告データはＷｅｂページとして用意されており、ＨＴＭＬ文書とその文書中に挿入される画像データや音声データとを含んで構成されている。また、データベースには、各広告データの出稿計画関連情報と、広告主属性情報と、各公衆広告端末についての情報（端末属性情報）も格納されている。
【００３３】
この例において、出稿計画関連情報には管理ＰＣ３に配信される掲載期間や掲載時間帯に加え、広告データを掲載する公衆広告端末１の指定情報が含まれている。広告主属性情報には広告主店舗の種類・名称・所在地・連絡先など店舗自体の情報に加え、広告主店舗側が管理する店舗コンピュータ１０とデータ通信を行うためのＩＤ（店舗ＩＤ）やパスワードなどの認証情報も含まれる。端末属性情報には公衆広告端末１の設置場所（カラオケ店の所在）・広告データの配信先（管理ＰＣ３のＩＰアドレスなど）・管理ＰＣ３とデータ通信を行う際の認証情報（カラオケ店ＩＤ、パスワードなど）が含まれている。
【００３４】
ホスト装置９は、各広告データの出稿計画関連情報に基づいてその配信先を特定する。そして、配信先となるカラオケ店１００の管理ＰＣ３と当該カラオケ店ＩＤとパスワードとによって認証手続きを行ったのち、広告データと対応する出稿計画関連情報や広告主属性情報をＦＴＰなどの適宜なプロトコルで配信する。一方、ホスト装置９と店舗コンピュータ１０との通信にはＨＴＴＰを採用している。すなわち、店舗コンピュータ１０のブラウザからのＨＴＴＰリクエストに応答して所定の処理を行い、その処理結果をＷｅｂページとして返送する。
【００３５】
＝＝＝店舗コンピュータ＝＝＝
店舗コンピュータ１０の主な機能は、適宜に入力された来店者の携帯電話機８の電話機ＩＤを取得し、このＩＤをホスト装置９に通知することと、この通知に対してホスト装置９から返送された内容を表示出力することにある。この例では、店舗コンピュータ１０は、ブラウザと、電話機ＩＤの取得・ブラウザの起動・ＨＴＴＰリクエストの送信などの一連の処理手順を自動的に実行するためのプログラム（店舗プログラム）とを実装したＰＣである。なお、電話機ＩＤの入力方式については、キーボードから入力する方式も採用できるが、本実施例では、公衆広告端末１と同様に、携帯電話機８のデータ通信端子と接続してデータ通信を行うための適宜なインタフェースを装備している。
【００３６】
また、この例では、店舗プログラムは常時起動状態にあるものとし、そのプログラムは、利用者の携帯電話機８と店舗コンピュータ１０とが接続されたことを認知すると、先の一連の手順を実行する。
【００３７】
＝＝＝クーポンサービスの利用指示＝＝＝
図３は、クーポンサービスの提供過程において発生するデータ通信や処理の流れを概略的に示している。利用者が客室ＰＣ１を操作して広告端末プログラムを起動し、公衆広告端末１を操作してクーポンサービスが利用できるある広告主店舗についての広告データを閲覧したとする（ｓ１）。広告端末プログラムは、広告データをＷｅｂページとして表示出力するとともに、クーポンの発行指示を受け付けるためのボタンなどを画面上の適宜な位置に表示する。利用者がクーポンサービスを利用したい場合、自身の携帯電話機８に適合する電話機接続インタフェース１３を介して公衆広告端末１に接続する。そして、マウスなどを使用して画面上に表示されたカーソルをクーポン発行指示ボタンに合わせ、それを押す旨の操作を行う（ｓ２）。
【００３８】
広告端末プログラムは、この指示操作に応動して電話機接続インタフェース１３に接続されている携帯電話機８の電話機ＩＤを取得するとともに、このＩＤと指示操作を受け付けた広告データに関連する情報とをホスト装置９に送付する（ｓ３，ｓ４）。この例では、電話機ＩＤとして電話番号を取得するとともに、表示中の広告データのファイル名を広告データ関連情報として取得する。そして、電話番号とファイル名とをフォームとして、このフォームをホスト装置９の所定のＵＲＬに宛てたＨＴＴＰリクエストとして送出する。なお、電話機ＩＤは、電話番号に限らず、各携帯電話機８に固有のシリアル番号を電話機ＩＤとしてもよい。
【００３９】
＝＝＝クーポンの発行＝＝＝
クーポン発行通知の送付先には、ホスト装置９の所定のＣＧＩがある。このＣＧＩは、クーポン発行通知に記載されている電話機ＩＤと広告データのファイル名とを取得するとともに、広告データのファイル名に基づいて該当する広告主属性情報を特定し（ｓ５）、その広告主属性情報と取得した電話機ＩＤとの対応付けや該当のクーポン発行通知の受領日時などをクーポン発行記録としてその記録簿に記載する（ｓ６）。そして、クーポンの発行指示を受け取った旨のＨＴＴＰレスポンスを公衆広告端末１に返送する（ｓ７）。広告端末プログラムは、このレスポンスをＷｅｂページとして表示出力する（ｓ８）。
【００４０】
なお、本実施例では、クーポンの発行に対して利用者からクーポン利用料金を徴収する。そして、その利用料金は、移動体通信事業者が管理する課金システムに連動させて、通信事業者に徴収代行してもらうこととしている。すなわち、移動体通信事業者が利用者に毎月請求する通話料金にクーポン利用料金を含ませるのである。そのためには、本サービスの提供事業者と移動体通信事業者とがクーポン利用料金の徴収代行業務についての契約を事前に締結しておき、ホスト装置９と移動体通信事業者が管理する課金業務用のコンピュータとを専用線などを介して接続しておく。そして、ホスト装置９は適時に電話機ＩＤで特定される利用者についてのクーポン利用料金徴収代行依頼書を作成し、その依頼書データを課金用コンピュータに送付してクーポン利用料金を請求して徴収代行してもらう旨を伝える（ｓ９）。
【００４１】
なお、クーポン利用料金が店舗毎に異なる場合には、この代金を広告主属性情報に含ませればよい。もちろん、この「代行方式」に限らず、公衆広告端末１に貨幣徴収機構を付帯させ、クーポン利用料金分の貨幣が公衆広告端末１に投入されない限り、クーポン発行通知を送付しないようにすることもできる。カラオケ店１００のフロントでカラオケ利用代金の精算時に支払うこともできよう。
【００４２】
＝＝＝クーポンの利用＝＝＝
公衆広告端末１にてクーポンの発行指示を行った利用者が、そのクーポンサービスを実施している店舗を訪れ、クーポンサービスを利用する旨を店員などに伝える。そして、利用者の携帯電話機８を店舗コンピュータ１０に付帯する電話機接続インタフェースに接続する。この接続作業に応動して上述の店舗プログラムが所定の処理を開始し、取得した電話機ＩＤと当該店舗コンピュータ１０に事前に付与されている店舗ＩＤとパスワードとを含んだＨＴＴＰリクエストを生成し、このリクエストをホスト装置９の所定のＵＲＬに宛てて送付する（ｓ１０，ｓ１１）。
【００４３】
上記ＨＴＴＰリクエストの送付先には、ホスト装置９の所定のＣＧＩが対応している。このＣＧＩは、店舗コンピュータ１０から送付された店舗ＩＤとパスワードとをデータベースに格納されてる広告主属性情報と照らし合わせることで認証手続きを行う。そして、認証を経た店舗コンピュータ１０からのアクセスであることを認知すると、ＨＴＴＰリクエストに含まれる電話機ＩＤをクーポン発行記録簿に照会して、該当する電話機ＩＤとアクセスしてきた店舗コンピュータの店舗ＩＤを含んだ広告主属性情報との対応付けが記載されているか否かを判別する（ｓ１２）。そして、その判別結果を記載したＷｅｂページ（電話機ＩＤ確認通知）をＨＴＴＰレスポンスとして店舗コンピュータ１０に返送する（ｓ１３，ｓ１４）。
【００４４】
店舗コンピュータ１０は、ホスト装置９からの電話機ＩＤ確認通知の内容をＷｅｂページとして表示する（ｓ１５）。店員は、その表示内容を確認して、来店者を正規のクーポンサービス対象者として所定のクーポンサービスを提供したり、クーポンサービス対象者以外の来店者としてクーポンサービスの提供を拒否したりする。
【００４５】
＝＝＝クーポン利用実績記録＝＝＝
クーポンサービスの提供自体は、上述した「クーポンサービスの利用指示」〜「クーポンの利用」で完結する。しかし、利用者が実際に広告主店舗でクーポンサービスを利用した場合、公衆広告端末１への広告掲載が利用者の来店を促したわけであるから、ホスト装置９の管理者など当該クーポンサービス仲介事業者は、クーポンの利用実績に見合う手数料などを広告主に請求できる。そこで本実施例では、ホスト装置９がその手数料などの算出根拠をクーポン利用実績簿に記録している（ｓ１６）。
【００４６】
具体的には、電話機ＩＤ確認通知の送付起源となった適宜な日時とこの確認通知の送付先に該当する店舗情報とを対応付けしてクーポン利用実績簿に記載している。電話機ＩＤ確認通知の送付起源となった日時としては、電話機ＩＤ確認通知の送付日時と該当するクーポン発行日時とを並記し、これら日時に広告主属性情報として店舗ＩＤを対応付けしてクーポン利用実績簿に記録している。それによって、いつ発行したクーポンが、いつ、どこで利用されたのかがわかるようになっている。
【００４７】
＝＝＝その他の実施例・変更例・補足＝＝＝
上記実施例では、来店者が店舗を訪れた時点でその来店者が正規のクーポンサービス利用者か否かをホスト装置に問い合わせていた。この処理手順に限らず、店舗コンピュータ側で照合する方法も考えられる。ホスト装置が、クーポン発行通知を受領すると、この通知中のクーポン発行済みの電話機ＩＤを事前に店舗コンピュータに送付しておく。店舗コンピュータは、この電話機ＩＤを記憶し、この電話機ＩＤと来店者の携帯電話機の電話機ＩＤとを照合する。来店者の電話機ＩＤが自身に記憶されていれば、この来店者が正規の利用者であることを表示出力する。
【００４８】
以上の説明から明らかなように、本願において核心をなす方法発明は、便宜的に分説すると、つぎの事項（１）〜（10）により特定されるものである。
（１）ホスト装置と、ホスト装置と通信可能な複数の公衆広告端末と、ホスト装置と通信可能な複数の店舗コンピュータを備えたネットワークシステムにおいて、携帯電話機の利用者を対象としてクーポンサービスを提供する方法であること
（２）ホスト装置は、公衆広告端末に広告主店舗識別情報付き広告データを配信すること
（３）公衆広告端末は、ホスト装置から広告主店舗識別情報付き広告データを受信すること
（４）公衆広告端末は、至近の携帯電話機とデータ通信を行うための電話機接続インタフェースと、利用者の操作入力を受け付けるためのユーザインタフェースを備えること
（５）公衆広告端末は、広告データの表示中において所定の操作入力を受け付けた際、電話機接続インタフェースにより電話機ＩＤを取得するとともに、当該電話機ＩＤと、当該公衆広告端末の端末ＩＤと、表示中の広告データの広告主店舗識別情報と、日付とを対応付けしたクーポン発行通知をホスト装置に送信すること
（６）ホスト装置は、公衆広告端末から受信したクーポン発行通知をクーポン発行記録簿に記録すること
（７）店舗コンピュータは、ホスト装置に広告主店舗識別情報付き広告データを出稿している広告主の店舗に設置されており、広告主店舗識別情報を記憶すること
（８）店舗コンピュータは、来店者が所持する携帯電話機の電話機ＩＤを取得し、当該電話機ＩＤを広告主店舗識別情報とともにホスト装置に送信すること
（９）ホスト装置は、店舗コンピュータから電話機ＩＤと広告主店舗識別情報の組を受信した際、クーポン発行記録簿に当該電話機ＩＤと当該広告主店舗識別情報を含んだクーポン発行通知記録が存在するか否かを調べ、その結果によりクーポン発行済みであるか否かの情報を当該店舗コンピュータに返信するとともに、当該クーポン発行通知記録と日付とをクーポン利用実績簿に記録すること
（10）店舗コンピュータは、ホスト装置からクーポン発行済みであるか否かの情報を受信した際に当該情報を表示出力すること
【００４９】
【発明の効果】
本発明のクーポンサービス提供方法によれば、公衆広告端末をクーポンサービスの窓口として、ランニングコストを掛けず、さらに、クーポンを確実に利用させてより多くの来店者を獲得することができる。
【図面の簡単な説明】
【図１】既設の通信カラオケシステムを本発明のクーポンサービス提供方法に適用した場合のカラオケ店舗内のネットワーク構成図を例示している。
【図２】本発明の実施例におけるクーポンサービス提供方法が適用される情報通信ネットワークの概略構成図を示している。
【図３】上記実施例におけるクーポンサービスの提供過程を通信手順図によって示してる。
【符号の説明】
１    公衆広告端末
８    携帯電話機
９    ホスト装置
１０  店舗コンピュータ
４０  インターネット
【図１】
0004159760.tif 000002
【図２】
0004159760.tif 000003
【図３】
0004159760.tif 000004